(57)【要約】      （修正有）【課題】広範囲の光を高効率に集光することが可能な集光器を提供する。【解決手段】透明部材に集光性蛍光染料により着色してなる略ロート（開いた茸の笠）状や略ロート状の一部の形状とした小葉、花びらの形状の集光片を集光部としたものと、集光した光を導く棒状の収集光部からなる集光部材とし、集光部にあたる光を蛍光にした光と、集光部の開放部の入射光を反射と全反射を利用して収集光部に導く集光器とする。さらには、集光器から得られる太陽光を利用し発電、照明、熱利用する。【選択図】図４
0003173523.tif 000002
【実用新案登録請求の範囲】
【請求項１】
光を収集する集光器おいて、
屈折率が空気より大きい透明部材に集光性蛍光染料により着色した略ロート状の形状の集光片を集光部としたものと集光部の集光端の光を導く棒状の収集光部からなるものを集光部材とし、該集光部材は、集光部にあたる光を蛍光に変換し、集光片の壁面で蛍光を反射と全反射を利用して、収集光部に光を収集すること
を特徴とする集光器。
【請求項２】
請求項１に記載の集光器において、
該集光部材は、集光片の開放部方向からの入射光を集光片の璧面で反射と全反射を利用して、収集光部に光を導き収集すること
を特徴とする集光器。
【請求項３】
請求項１から２の何れかに記載の集光器であって、
前記集光片の形状を略ロート状の形状の一部からなる形状としたこと
を特徴とする集光器具。
【請求項４】
請求項１から３の何れかに記載の集光器において、
該集光部は、集光片を複数重ねたこと
を特徴とする集光器。
【請求項５】
請求項４に記載の集光器において、
複数の集光片の一部に集光性蛍光染料により着色しない集光片を用いたこと
を特徴とする集光器具。
【請求項６】
請求項１から５の何れかに記載の集光器において、
集光部からの光が収集光部に収集される時に臨界角未満の光を収集光部に導くために、収集光部に臨界角未満の角度を臨界角以上に反射角度を補正する膨らみ部を設け反射補正部としたこと
を特徴とする集光器。
【請求項７】
請求項１から６の何れかに記載の集光器を備える太陽光発電装置であって、
前記集光器の導光部に、太陽電池や太陽電池パネル、太陽熱発電装置を接続したこと
を特徴とする太陽光発電システム。
【請求項８】
請求項１から６の何れかに記載の集光器を備えるソーラーシステムであって、
前記集光器の導光部に、光の供給を受ける熱交換器を備えること
を特徴とするソーラーシステム。
【請求項９】
請求項１から６の何れかに記載の集光器を備える集光システムであって、
前記集光器の導光部に、光ケーブルを接続したこと
を特徴とする集光システム。
【請求項１０】
請求項９に記載の集光システムを備える太陽光照明システムであって、
前記光ケーブルから、光の供給を受ける照明装置を備えること
を特徴とする太陽光照明システム。
【請求項１１】
請求項９に記載の集光システムを備える太陽光発電システムであって、
前記光ケーブルから、光の供給を受ける太陽電池又は太陽発電パネルを備えること
を特徴とする太陽光発電システム。
【請求項１２】
請求項９に記載の集光システムを備えるソーラーシステムであって、
前記光ケーブルから、光の供給を受ける熱交換器を備えること
を特徴とするソーラーシステム。
【考案の詳細な説明】
【技術分野】
【０００１】
本考案は、太陽光等の光を集める集光器に関する。
【背景技術】
【０００２】
近年、光エネルギーとして太陽光を集光する集光器を備えた太陽光発電装置が注目されている。このような集光器の集光光学系には、主にフレネルレンズ・ロッドレンズ等のレンズや、凹面鏡・平面鏡等の鏡が利用され、透過により直接的に、あるいは、反射により間接的に、太陽光を集光する。
【０００３】
しかしながら太陽光（平行光源）は照射方向が刻々と変化するため、集光器の受光面が照射方向を向いていない場合、その照度が著しく低下する。そこで、一般的な集光型の太陽光・ソーラーシステムにはその追尾装置が設けられており、受光面が太陽を追尾することで、太陽光の照射方向と受光面とのずれに起因する発電効率の低下を防いでいる。
【０００４】
例えば特許文献１では、平板フレネルレンズに内周面にプリズム断面の突条が形成された円錐形の集光部材からなる二次集光器を組み合わせることで、太陽電池の受光面への太陽光の入射ムラを抑制し、追尾装置を利用してなお生じる誤差による発電効率の低下を緩和する技術が開示されている。
【０００５】
また、追尾装置を設けない固定型の太陽光・ソーラーシステムにおいても、発電効率を損なわないような工夫がなされている。例えば特許文献２には、受光面に入射した光を下側面に放射する高機能性シートを用いることで、広範な角度からの入射光を許容して利用する技術が開示されている。
【先行技術文献】
【特許文献】
【０００６】
【特許文献１】特開２００４−２１４４７０号公報
【特許文献２】特開２００７−２１８５４０号公報
【考案の概要】
【考案が解決しようとする課題】
【０００７】
しかしながら、上記のように太陽光（移動する平行光源）を前提とした装置では、依然として利用可能な入射角度が限定されてしまうため、許容範囲外の角度では発電効率が極端に落ちてしまう可能性がある。また、雨天や曇り日には集光効果が殆ど発揮出来なかった。さらに、雪国での雪の反射光や、海岸の砂浜の反射光、ビル等建設物の反射光を利用出来なかった。
【０００８】
そこで本考案は、広範囲の光を高効率に集光することが可能な集光器を提供することを目的とする。
【課題を解決するための手段】
【０００９】
本考案に係る集光器は、屈折率が空気より大きい透明部材に集光性蛍光染料により着色した略ロート（開いた茸の笠）状の形状や略ロート状の一部形状の小葉、花びらの形状や逆三角形などの集光片を集光部としたものと集光部の集光（閉口）端の光を導く棒状の収集光部からなるものを集光部材とし、該集光部材は、集光部の光を蛍光に変換し、蛍光を集光片の壁面で反射と全反射を利用して、収集光部に光を収集すると共に、集光片の開放部方向からの光を集光片の壁面で反射と全反射を利用して、収集光部に光を収集する集光器としたものである、さらには、集光器で集めた光を用い太陽光による発電、照明、熱利用を行うことを特徴とする。
【考案の効果】
【００１０】
本考案によれば、広範囲の光を高効率に集光することが可能な集光器が提供できる。
【図面の簡単な説明】
【００１１】
【図１】本考案の第一の実施形態に係る集光器１の断面図である。
【図２】本考案の第一の実施形態に係る集光器１の断面図である。
【図３】本考案の第二の実施形態に係る集光器１ａの組立前断面図である。
【図４】本考案の第二の実施形態に係る集光器１ａの断面図である。
【図５】本考案の第三の実施形態に係る集光器１ｂ、１ｃの斜視図である。
【図６】本考案の第四の実施形態に係る集光器１ｄの斜視図である。
【図７】本考案の第五の実施形態に係る太陽光発電器１１の斜視図である。
【図８】本考案の第六の実施形態に係る集光システム１２の斜視図である。
【図９】本考案の第七の実施形態に係る照明システム１３の斜視図である。
【図１０】本考案の第八の実施形態に係る太陽光発電システム１４の斜視図である。
【図１１】本考案の第九の実施形態に係るソーラーシステム１５の斜視図である。
【考案を実施するための形態】
【００１２】
本考案の実施の形態について、以下、図に基づいて説明する。
＜第一の実施形態＞
図１は、本考案の第一の実施形態に係る集光器１の断面図である。
【００１３】
図１に示すように、集光器１は集光部材２で構成され、集光部材２は略ロート状の集光部２１と収集光部２２、反射補正部２３で構成されている。また、集光部２１は集光片２ａａで構成されている。集光部材２は屈折率が高く、透過率が高いプラスチック（例えばアクリル樹脂）で構成され、内部に集光性蛍光染料５を添加着色したものである。図１では、集光部２１の集光片２ａａに対し上部からあたる光の一部を例とした入射光ａ，ｂ，ｃを取り込み、集光性蛍光染料５は入射した光により蛍光に変換し蛍光を発する。蛍光は周囲に発し集光部２１の壁面に当たる。一部の蛍光は集光部の壁面を全反射しながら周囲の壁を伝う。一方で、下方（斜め下方も含む）に向いた蛍光の光はロート状の収集光部２２方向に徐々に狭められ導かれ光が収集される。入射光ａ、ｂ、ｃは必ずしも全てが蛍光に変化するわけではなく、一部は通過光として外部に放出される。
【００１４】
従来から、集光性蛍光染料が含有された透光性を有する蛍光プレートがあり、この種の蛍光プレートは、自然光又は人工光の直射光及び拡散光をプレート表面で集光し、それを蛍光に変え、その蛍光は長波長で再放出され、プレート内でその多くが全反射の法則に従ってプレート内部を進行しプレート側面へ誘導され、そこで濃密化され放出されるという特性を有する。
具体的には、Ｌｕｍｏｇｅｎ（登録商標）Ｆなどがある。
集光部材２の材料は透明度の高いシリコンゴムや、ポリカボネート、ポリプロピレンなどやガラスでも良く、集光性蛍光染料を添加着色するばかりでなく、塗布しても良いものである。より高屈折率な材料を使用するほど内部での全反射を高め、光の誘導率も高めると共に通過光の利用も高まる。表面を集光部材２よりも屈折率の低い素材の皮膜やコーティングで覆っても良い。
【００１５】
集光部材２は、集光性を高めるため高硬度の高透過性の樹脂を使用する。
太陽光は一日の間に移動すると共に、季節によっても変動する。また、曇天や、雪のつもった日などにはいろいろな角度からの光が発生する。これらの光をとらえ活用するには、少なくとも、上面に当たる光を幅広い角度（例えば１２０度）でとらえられることが望まれる。
【００１６】
図１は、具体的に入射光が集光性蛍光染料５に当たり蛍光を発生させ、発生した蛍光の一部が反射されて収集光部２２方向に向かう流れを説明したものである。それぞれ入射光ａ，ｂ，ｃは集光性蛍光染料５により、蛍光を発し、蛍光は集光部２１の壁を伝い、発生蛍光ａａ，ｂｂ，ｃｃとして収集光部２２と導かれる光の一部の例を示したものである。ここで示す様に集光部２１の面積は収集光部２２の断面より広いため、多くの蛍光が収集光部２２方向に集まり、光密度が高まる。
【００１７】
図２は、集光部２１から集まる蛍光が収集光部２２方向に向かう際、集光部が湾曲しているために集光部から収集光部２２の近くで反射した光は収集光部２２の円柱状の壁に対し入射角が臨界角より小さくなり壁に全反射しない光が発生する。これを解消して、臨界角より大きくなる角度を得るために、収集光部２２付近に反射を補正する膨らみを持った反射補正部２３を形成したものを示す。入射角ｂ、ｃ、ｄで発生した蛍光の光は集光部の壁に反射し、収集光部付近で臨界角より少なく、本来収集光部２２の壁から外に飛び出してしまう光路が、反射補正部２３の膨らみにより、臨界角より大きく保たれることにより発生蛍光ｂｂ、ｃｃ、ｄｄは収集光部２２の内部を下方に導かれることを示す。以下、前記と同じ説明は省略する。
【００１８】
集光片２ａａは集光片２ａａにあたる光を利用するため受光面が大きいほど大きな集光量が得られる。一方受光面を大きくすると、集光部の高さも増す。このため、集光部の略ロート状の外径部（開いた茸の笠に似ているので以下笠と称す）を横に広げることになる。笠を横に広げると、集光部の笠の側面のラインの曲線部の半径（以降側面ラインと称す）が小さくなる。側面ライン半径が小さくなると、光を導く際に全反射が起こりにくくなる。このとき、全反射を有効にするには笠の厚みを薄くすることにより解決できる。一方で笠の厚みを薄くすると集光性蛍光染料にあたる光の量が限られてくる。笠部の開きや、笠部の厚み、集光性蛍光染料のの量の適切なバランスが必要である。また、これらのことから小型軽量で集光効率を上げるために次に示す集光片を複数にする事や、集光部の開口部方向からの直接光との併用が有効である。さらに、傘の根元の厚みと収集光部の太さも以下に記載する光ファイバーを結合する際に重要になる。
＜第二の実施形態＞
【００１９】
図３は、本考案の第二の実施形態に係る集光器２ａの組立前断面図である。図３は、集光部２ａを複数の集光片２ａａ、２ａｂ、２ａｃで構成しようとするもので、各集光片をそれぞれ別に作成し各集光辺を溶着やはめ込みなどにより組立るものである。集光片２ａｃは略ロート状で内部が満たされた形状の部材を示す。組立の際に、集光片同士はは隙間を開け組み合わせお互いの空気の層との間で臨界角を生み全反射を起こす構造とする。
【００２０】
図４は、本考案の第二の実施形態に係る集光器の断面図である。図４は、図１と異なる点は、入射光が集光性蛍光染料５により蛍光を発するばかりでなく、開放部４５方向からの入射光自身も集光部に導く点と集光部の集光片を複数使用している点で異なる。集光部の開口部４５は厚めにし開口部４５方向からの直接光を多く取り入れる形状としている。
【００２１】
また、図４は、図３の各集光片を溶着し集光部２ａとした状態を示し、各方向からの入射光ｅ、ｆ、ｇは集光部２ａの各開口部から入射して一点鎖線の様に誘導光ｅｅ、ｆｆ、ｇｇが全反射により収集光部２２に導かれる直接光の状態を示す。図示しないが、さらに、直接光が集光性蛍光染料により蛍光を発することもある。また、本来、開口部からの入射光ｈの様に集光部の内壁で臨界角より少ない角度の光は集光部外に透過し出ていってしまうが、ここでは、集光性蛍光染料５ｂ、５ｃ、５ｄにより蛍光に変換される。そして蛍光の一部は集光部の璧により全反射され、収集光部２２に集光される。これにより、直接光と通過光による発生した蛍光の合成光が収集光部２２に集まることになり、明るさを増すと共に、直接光と並行の幅の広い波長の光の合成光が得られる。
＜第三の実施形態＞
【００２２】
図５は、本考案の第三の実施形態に係る集光器１ｂ、１ｃの斜視図である。図５（ａ）は、略ロート状のロート状体７に沿った集光部材２ｂの集光部２１の一部からなる形状例であり、小葉状の集光片２ａｄを示す。図５（ｂ）は集光片を逆三角形とした集光片２ａｃを示す。開口部にはミラミッド状の模様を設けたものを示す。このように集光片の形状は小葉や逆三角形や花びらような形状でも良く、開口部や集光片面も凸凹を設け、多方向の光を対象に集光しても良いものである。集光部は、集光部の上部が広く多くの光が当たることが望ましく、入射した光が横方向に回り込み横の開口部から外部に放出する量を抑えた形状が有効であり、略ロート状が効率的に集光できる。また、集光片は複数枚でも良い。開口部を広くすると直接光を多く取り入れることが出来る。開口部の厚みや、開口部付近の湾曲と大きさ、板厚、集光性蛍光染料の量などにより直接光と、透過光による発生する蛍光利用とのバランスを図った設計ができる。
＜第４の実施形態＞
【００２３】
図６は、本考案の第四の実施形態に係る集光器１ｄの斜視図である。
各集光片は四角の開口形状の略ロート状とし、お互いを隙間を持たせ重ね合わせたものを示し、開口部を薄くした集光片２ｄａにのみ集光性蛍光染料を含有させ、集光片２ｄｂ、２ｄｃ、２ｄｄ、２ｄｅ、２ｄｆを透明素材で形成し、上部の各方向からの光を有効にこれらの集光片の開口部から直接光を導き、これらの集光片を透過し漏れた光を集光片２ｄａが集光性蛍光染料による蛍光発光により有効に光を収集するものを示す。また、収集光部２２は誘導筒４により覆われており、誘導筒４は内面を鏡面仕上げにすることにより、内面で反射し収集光部２２付近での収集光を全て下方向に導く。
＜第５の実施形態＞
【００２４】
図７は、本考案の第五の実施形態に係る太陽光発電装置１１の斜視図である。
集光器１ｄで集められた光を収集光部２２の下部に設けた太陽光発電パネル８で発電を行うことを示す。集約された光となるため小さなパネルで有効化がはかれる。例えば、多接合型（スタック型、積層型、タンデム型などとも呼ばれる）太陽電池とは、利用波長の異なる太陽電池を複数積み重ねた太陽電池を使用することにより安価で効率を上げることができる。さらに、太陽光ばかりでなく、集光することにより太陽熱を高温で取り出せるため、太陽熱の利用も利用しやすくなる、その上、太陽光と太陽熱の併用としてもよい。
このような集光システムを利用した太陽光発電装置によれば、太陽の追尾装置を設けなくとも、広範囲の太陽光を集光器で集光し、簡便な構造で高効率な発電を行うことが可能となる。もちろん、追尾装置により集光器の中心を太陽に向ければ、太陽光と周囲の反射光などを取り入れより効率の良い集光器となる。
＜第６の実施形態＞
【００２５】
図８は、本考案の第六の実施形態に係る集光システム１２の斜視図である。
収集光部２２の下部に光ファイバー３をコネクター９により接続したもので、集光器１ｄにより集光された光が光ファイバーを介して下方に導かれる。ここでは、光ファイバーをコネクターで結合しているが、収集光部に溶着しても良い、また光ファイバーは一本であるが複数本としても良い。
＜第７の実施形態＞
【００２６】
図９は、本考案の第七の実施形態に係る照明システム１３の斜視図である。集光器１ｄの頭部には集光部を覆うカバー３４を設け、風雨や汚れなどから集光部を保護している。また、屋根などに簡単に設置するための取り付け部３６を設けている。
集光システム１２の光ファイバーから得られる光をシェード１０内で拡散板１１に当てることにより、光を拡散させて照明器具としたものを示す。図示しないが、放物線などを描く反射鏡状のシェードに焦点付近で光を放ちシェードに反射させ拡散をしても良い。また、模様を施したり、アクリル板やガラス板などを組み合わせたシェードを用いても良いものである。
従来、太陽光を屋内に取り込む方法としてダクト状の筒内を反射して導くものがある。これらは、屋根や天井をくりぬきダクトを通す必要があった。このため経費が掛かると共に、保守（ダクト内面の鏡面を定期的に磨く作業や、屋根をくりぬいた構造となるため雨漏りなどの補修）が大変であった。本考案の照明器具は屋根に取り付けた集光器から光りファイバーを引き込むだけで従来の電気ケーブルの様に取り込むことが可能であり、簡単な工事ですむと同時に保守が簡単である。このため、建設された建物に設置しやすく、太陽光が屋内に引き込まれ、省エネと共に家の中で自然光にふれることができるため健康にも良好と考えられる。また、家のなかで植物に自然光を与えることが可能である。また、光ファイバーなどにフィルタを付けることにより有害な紫外線を取り除くことができる。この際、光ファイバーに対処するため小さなフィルタとなり安価である。さらに、これらを利用して植物工場に光を取り込むことができ省エネが可能になる。また、太陽光は植物にとっても有用な光となりえる。
集光システムの集光器は例えば１０ｃｍ角から２０ｃｍ角の大きさとなり、これらを複数並ぶて使うことになる。また、表面は風雨にさらすことにより集光を阻害するため、ケースに並べて設け、透明なガラスなどで蓋を密閉した上で、ケースを例えば、屋根の上などに取り付ける。図に示す様な集光部が四角い形が効率的に並べやすい。
＜第８の実施形態＞
【００２７】
図１０は、本考案の第八の実施形態に係る太陽光発電システム１４の斜視図である。
集光システム１２の光ファイバーからでてきた光を太陽光発電パネル２０に当てて発電し、電力線２１で電気を取り出すものを示す。集光システムは、箱状のケース３５の中に納められ、透明な蓋をした状態を示す。
集光システム１２を使用した太陽光発電システムは、光ファイバーにより光を屋内に導くことにより太陽電池パネルを風雨にさらすことが無いため太陽電池パネルの劣化を防ぐことができる。また、太陽電池のサイズも小型とすることができると共に、屋外では一方方向に重ならないように広げて配置しなければならなかったが、例えば、お互いが向き合う様に、囲う様に、重ねる様になど配置することができ狭い空間でも設置する事ができる。
＜第９の実施形態＞
【００２８】
図１１は、本考案の第九の実施形態に係るソーラーシステム１５の斜視図である。
集光システム１２の光ファイバーからでてきた光の熱を温熱パネル３０に変えて循環パイプ３１で熱を循環して使用するものを示す。温熱パネルはオイルや、水等を循環して暖めるものである。また、図示しないが、例えば、ゼーベック効果を利用した素子を利用する方法として集光器からの熱を高温側、外側に設けられた放熱フィンを低温側とし、温度差により発電を行う。また、太陽熱を利用して、スターリングエンジンを動かし、発電を行う太陽熱発電装置による発電を行ってもよい。このように、本考案の集光器は太陽光・熱を利用する様々な形式のソーラーシステムに応用できる。
【００２９】
上記の集光器及び応用システムは、適宜汚れ、損壊、紫外線などの防止用の保護カバーを設けたり、集光効率を上げるために周辺に反射板を設けて集光器に光を集めたり、取り付け器具に複数並べて取り付けたり、簡易な追尾装置と連動したりしても良いものである。
【符号の説明】
【００３０】
１，１ａ，１ｂ，１ｃ，１ｄ：集光器、１１：太陽光発電装置、１２：集光システム、１３：照明システム、１４：太陽光発電システム、１５：ソーラーシステム、２，２ａ，２ｂ：集光部材、２１：集光部,２２：収集光部、２３：反射補正部、２ａａ，２ａｂ，２ａｃ、２ａｄ、２ａｅ、２ｄａ，２ｄｂ，２ｄｃ，２ｄｅ，２ｄｆ：集光辺、３：光ケーブル、４：誘導筒、４５：開口部、５，５ａ,５ｂ，５ｃ,５ｄ：集光性蛍光染料、７：ロート状体、８：太陽光発電パネル、９：コネクター、１０：シェード、１１：拡散板、２０：太陽光発電パネル、２１：電力線、３０：温熱パネル、３１：循環パイプ、３４：カバー、３５：ケース、３６：取り付け部、ａ，ｂ，ｃ，ｄ，ｅ，ｆ，ｇ：入射光、ａａ，ｂｂ，ｃｃ，ｄｄ，ｈ１，ｈ２，ｈ３：発生蛍光、ａａａ,ｅｅ，ｆｆ、ｇｇ：誘導光
【図１】
0003173523.tif 000003
【図２】
0003173523.tif 000004
【図３】
0003173523.tif 000005
【図４】
0003173523.tif 000006
【図５】
0003173523.tif 000007
【図６】
0003173523.tif 000008
【図７】
0003173523.tif 000009
【図８】
0003173523.tif 000010
【図９】
0003173523.tif 000011
【図１０】
0003173523.tif 000012
【図１１】
0003173523.tif 000013